(57)【特許請求の範囲】
【請求項１】
磁極ティースを複数個有する環状磁極部材と、前記環状磁極部材の外周にあって前記環状磁極部材と接続される枠体とを同一の電磁鋼板から一体形成した鉄心部材を複数積層した、積層環状磁極部材と積層枠体からなり、前記枠体内に配置される前記環状磁極部材の種類と配置を識別する識別子を有する回転電機の積層鉄心部材。
【請求項２】
１個の前記枠体に対し、前記環状磁極部材を複数接続して配置する請求項１に記載の回転電機の積層鉄心部材。
【請求項３】
前記枠体の形状は四角形状である請求項１又は請求項２に記載の回転電機の積層鉄心部材。
【請求項４】
１個の前記枠体に対し、前記環状磁極部材を縦方向横方向に複数接続して配置する請求項２又は請求項３に記載の回転電機の積層鉄心部材。
【請求項５】
前記枠体の上面及び下面に、前記鉄心部材の積層時に使用するカシメ用凹凸部を有する請求項１乃至請求項４のいずれか１項に記載の回転電機の積層鉄心部材。
【請求項６】
前記環状磁極部材と前記枠体は薄肉で一体として接続されている請求項１乃至請求項５のいずれか１項に記載の回転電機の積層鉄心部材。
【請求項７】
前記環状磁極部材と前記枠体は嵌め合わせで固定されている請求項１乃至請求項５のいずれか１項に記載の回転電機の積層鉄心部材。
【請求項８】
複数種類の前記積層環状磁極部材を有する請求項２乃至請求項７のいずれか１項に記載の回転電機の積層鉄心部材。
【請求項９】
前記識別子は、前記鉄心部材の積層枚数情報を含む請求項１乃至請求項８のいずれか１項に記載の回転電機の積層鉄心部材。
【請求項１０】
前記積層枠体ごと全体に絶縁用電着塗装をする請求項１乃至請求項９のいずれか１項に記載の回転電機の積層鉄心部材。
【発明の詳細な説明】
【技術分野】
【０００１】
この発明は、回転電機の積層鉄心部材に関するものである。
【背景技術】
【０００２】
回転電機に用いられる鉄心のうち製造の合理化の工夫がなされた鉄心として特許文献１に記載の鉄心が挙げられる。
磁極ブロックが薄肉で直線状に連結されて構成されており、巻線のための空間が広く巻線工程で高速に巻線できる効果、整列して巻線できる効果、同時に複数の巻線処理ができる効果などが得られる。
【先行技術文献】
【特許文献】
【０００３】
【特許文献１】特許第３３０７８８８号公報
【発明の概要】
【発明が解決しようとする課題】
【０００４】
特許文献１に記載するような直線状のコアは、金型によるプレス加工で製造する。直線状に磁極ブロックを連結して並べた鉄心部材の単位でプレス打ち抜きして製造する。
薄板材料から打ち抜かれた鉄心部材は、それ自体に設けられた突起が嵌り合ってカシメられることで金型の中で積層され固定される。
金型の中で突起の加工、打ち抜き、積層、カシメが実施されるので高速に、自動化して、連続的な生産を実現でき、時間当たりの生産効率が高い。
【０００５】
鉄心製造において、積層後の工程では、鉄心に絶縁物を装着する工程や巻線を施す工程があり、また、各工程間を自動搬送する場合がある。
これらの後工程においては、鉄心を把持する必要がある。
鉄心の把持には、鉄心の外形の形状を活用し、コアの形状に応じた特殊ツールでコアを把持し、その状態で絶縁物装着工程、巻線工程の処理を行う。
【０００６】
また、一つのコアを処理した後は、処理済みのコアと未処理のコアを入れ替える必要がある。
この入れ替えには、コアのつかみ替えが必要である。
把持と位置決めの難易度はコアの形状、大きさに依存し、把持に時間を要すると、後工程のそれぞれで処理時間が増加し、時間当たりの生産効率を悪化させ製造コストが高くなる。
鉄心の把持、位置決めを容易化するために、鉄心自体に形成する形状としては、例えば突起、溝、穴等が挙げられる。
把持するためにのみ形成した把持部を設けると、製品が大型化したり、重量が増加したり、溝や穴などの欠落形状のために磁路面積が小さくなり磁束が減少する等の問題がある。
【０００７】
この発明は、このような課題を解決するためになされたものであり、鉄心の位置決め、把持を容易化し、把持ツールを簡素化することにより鉄心部材の生産に要する費用と時間を低減できる回転電機の積層鉄心部材を提供することを目的とする。
【課題を解決するための手段】
【０００８】
この発明に係る、回転電機の積層鉄心部材は、
磁極ティースを複数個有する環状磁極部材と、前記環状磁極部材の外周にあって前記環状磁極部材と接続される枠体とを同一の電磁鋼板から一体形成した鉄心部材を複数積層した、積層環状磁極部材と積層枠体からなり、前記枠体内に配置される前記環状磁極部材の種類と配置を識別する識別子を有するものである。
【発明の効果】
【０００９】
この発明に係る、回転電機の積層鉄心部材は、
磁極ティースを複数個有する環状磁極部材と、前記環状磁極部材の外周にあって前記環状磁極部材と接続される枠体とを同一の電磁鋼板から一体形成した鉄心部材を複数積層した、積層環状磁極部材と積層枠体からなり、前記枠体内に配置される前記環状磁極部材の種類と配置を識別する識別子を有するものなので、
搬送工程、絶縁工程、巻線工程における積層環状磁極部材の固定は、積層環状磁極部材本体以外の積層枠体を利用すれば良く、製品である積層環状磁極部材の形状に影響を及ぼすことなく積層枠体を把持して所定の位置に固定できる。
また、枠体を把持部として利用することで、積層鉄心部材の把持及び位置決めを、簡素なツールで短時間に実施できる。
また、積層環状磁極部材自体に把持部を形成しなくてよいので、製品の電磁特性を損なうことがない。
【図面の簡単な説明】
【００１０】
【図１】本発明の実施の形態１に係る積層鉄心部材１００の斜視図である。
【図２】本発明の実施の形態１に係る鉄心部材３０ａの平面図である。
【図３】本発明の実施の形態１に係る環状磁極部材１２と枠体２０の接続部の他の一例を示す図である。
【図４】プッシュバック工法を示す図である。
【図５】本発明の実施の形態１に係る固定子４１の斜視図である。
【図６】本発明の実施の形態２に係る積層鉄心部材２００の斜視図である。
【図７】本発明の実施の形態２に係る鉄心部材２３０の平面図である。
【図８】本発明の実施の形態２に係る位置決め構造の一例を示す平面図である。
【図９】本発明の実施の形態３に係る鉄心部材３３０の平面図である。
【図１０】本発明の実施の形態４に係る鉄心部材４３０ａの平面図である。
【図１１】本発明の実施の形態４に係る鉄心部材４３０ｂの平面図である。
【図１２】本発明の実施の形態４における位置決め、薄肉リンク兼用構造の他の一例を示す平面図である。
【図１３】この発明の実施の形態５に係る鉄心部材５３０の平面図である。
【図１４】この発明の実施の形態１〜５に係る鉄心部材の他の一例を示す平面図である。
【図１５】この発明の実施の形態１〜５に係る鉄心部材の他の一例を示す平面図である。
【図１６】この発明の実施の形態１〜５に係る鉄心部材の他の一例を示す平面図である。
【発明を実施するための形態】
【００１１】
実施の形態１．
以下、この発明の実施の形態１を図を用いて説明する。
図１は、積層鉄心部材１００の斜視図である。
図２は、図１の積層鉄心部材１００を構成する１枚の鉄心部材３０ａの平面図である。
【００１２】
鉄心部材３０ａは、１枚の電磁鋼板から打ち抜き、又はエッチィングによって形成されている。
また、１個の環状磁極部材１２は、９つの磁極ティース部１１ａとバックヨーク部１１ｂを有する環状の磁極部材である。
そして、１個の枠体２０に対して、同じ形状をした環状磁極部材１２が２個ずつ薄肉部１５で連結された状態で梯子状に枠体２０の対向する２本の枠に一体として連結されている。
【００１３】
積層鉄心部材１００は、上述の鉄心部材３０ａを複数枚数積層して構成される。
環状磁極部材１２を積層した部分が積層環状磁極部材４０であり、枠体２０を積層した部分が積層枠体５０となる。
【００１４】
図３は、環状磁極部材１２と枠体２０の接続部の他の一例を示す図である。
図４は、プッシュバック工法を示す図である。
図１、図２では環状磁極部材１２と枠体２０は薄肉部１５で繋がっていた。
図３に示す鉄心部材３０ｂでは、プレス加工の過程で環状磁極部材１２の両端部を枠体２０から刃６０で一旦打ち抜き、この部分を再度プッシュバック機構６１で枠体２０に嵌め戻すことによって環状磁極部材１２を枠体に固定する。
【００１５】
積層間の固定には、枠体２０自体に加工して設けた図示しない凹凸部を上下の鉄心部材間で嵌め合わせたカシメや、溶接、接着が用いられる。
製品となる積層環状磁極部材に直接カシメや溶接が用いられる場合、加工による歪みのために電磁鋼板の磁気特性が損なわれるが、枠体２０に積層間の固定部位を設け、積層環状磁極部材４０に固定部位を設けないことで積層環状磁極部材４０の磁気特性の劣化を防止することができる。
【００１６】
次に、積層工程を終了した積層鉄心部材１００の後工程を説明する。
図５は、磁極ティースに巻線後、積層枠体５０から分離して完成した固定子４１の斜視図である。
積層工程を経て積層鉄心部材１００が完成すると、積層鉄心部材１００は図示しない搬送装置によって、後工程である絶縁工程に運ばれる。搬送は、積層枠体５０を把持しておこなう。
【００１７】
絶縁工程では、樹脂成型物６を各磁極ティースに装着する。樹脂成型物６の装着時も、積層枠体５０を把持して積層鉄心部材１００を固定する。
全てのティースに樹脂成型物６を装着すると、積層鉄心部材１００は後工程である巻線工程に搬送される。
【００１８】
次に、巻線工程では、図示しない巻線機により、各磁極ティースに電線を巻き回してコイルを形成する。
巻線工程においても積層枠体５０を把持して積層鉄心部材１００を固定する。
巻線工程では、磁極ティースに対して連続して順次巻線をする。
巻線は、積層環状磁極部材４０の磁極ティースに図示しない巻線機のノズルを上方から差し入れて行う。
【００１９】
全ての積層環状磁極部材４０の各磁極ティースの巻線を完了した後、薄肉部１５を切断して図５に示す固定子４１を積層枠体５０から分離し、これに図示しない回転子を装着して回転電機を得る。
【００２０】
この発明の実施の形態１に係る積層鉄心部材１００によれば、積層枠体５０の外壁や、積層枠体５０の内外壁間を自由に把持することができるので、製品となる積層環状磁極部材４０自体に把持部を設ける必要がなく、簡易なツールで容易に積層枠体５０に包含される積層環状磁極部材４０を間接的に固定することができる。
これにより、絶縁工程、巻線工程における、積層鉄心部材１００の位置決め、固定、搬送が容易になる。
【００２１】
例えば、絶縁工程においては、各磁極ティースに樹脂成型物６を装着する際に、積層枠体５０を把持しておけば、磁極ティースの周囲の空間に樹脂成型物６を装着するツールが干渉しないので作業が容易になる。
また、巻線工程でも積層枠体５０を把持するので、把持のための作業空間を十分に確保でき、確実に積層環状磁極部材４０を固定して巻線できる。
また、製品自体に把持部を設ける必要がないので製品の外形を大型化したり重量が増加する等の問題もない。
【００２２】
また、積層間の固定部位は、積層枠体５０を構成する枠体２０に設ければ良いので、製品の一部となる磁極ティース部１１ａやバックヨーク部１１ｂの表面にはカシメ用の凹凸を設けたり、接着を施す必要がない。これにより、磁気特性に優れた回転電機の積層鉄心部材１００を得ることができる。
なお、積層枠体５０から積層環状磁極部材４０を分離後も樹脂成型物６や及び巻線により、積層固定状態は確保される。
【００２３】
また、複数の環状磁極部材１２を一つの枠体２０とともに形成することで、製造工数を大幅に削減でき、製造コストを安価にできる。
【００２４】
なお、本実施の形態では、絶縁工程として樹脂成型物６を装着する例を示したが、積層鉄心部材１００を積層枠体５０ごと電着塗装しても良い。
【００２５】
実施の形態２．
以下、本発明の実施の形態２に係る積層鉄心部材２００について、実施の形態１と異なる部分を中心に説明する。
図６は、本発明の実施の形態２に係る積層鉄心部材２００の斜視図である。
図７は、本発明の実施の形態２に係る鉄心部材２３０の平面図である。
図８は、位置決め構造の一例を示す図である。
【００２６】
本実施の形態２では、枠体２２０に位置決め構造を設けている。
図７に示す鉄心部材２３０では、位置決め構造として丸穴２１を設けている。
丸穴２１は、環状磁極部材１２の列幅と同じピッチで配置されており、積層環状磁極部材４０の位置決めに利用されるほか、積層鉄心部材２００の把持、固定にも利用される。
【００２７】
図８に示す位置決め構造は、切り欠き２２である。
実施の形態１のような積層枠体５０があれば、その形状自体を利用して把持することも可能であるが、本実施の形態に示す丸穴２１や切り欠き２２のような簡素な構造を枠体２２０に追加するだけで、更に容易に、確実に、積層枠体５０の把持、搬送をすることができる。
【００２８】
なお、位置決め構造は、穴や、切り欠きの他、突起でも良い。
また、穴や突起の形状は、当該形状を利用して積層鉄心部材を搬送し、固定できるものであればどのような構造でも良い。
【００２９】
実施の形態３．
以下、この発明の実施の形態３に係る積層鉄心部材について実施の形態２と異なる部分を中心に説明する。
図９は、鉄心部材３３０の平面図である。
枠体３２０の一部に四角形状の穴２３を設けており、枠体３２０は、穴２３の縁である薄肉リンク部２４で繋がっている。
鉄心部材３３０を積層すると、この薄肉リンク部２４もそのまま積層される。
積層された薄肉リンク部２４の切断は、薄肉リンク部２４を設けていない場所の切断に比べて格段に容易である。
これにより、簡易な切断機構で積層枠体の切断が可能となり、最終製品の製造工数、製造コストを低減できる。
【００３０】
実施の形態４．
以下、本発明の実施の形態４に係る積層鉄心部材について、実施の形態１〜実施の形態３と異なる部分を中心に説明する。
図１０は、鉄心部材４３０ａの平面図である。
この実施の形態では、実施の形態２で述べた位置決め構造と実施の形態３で述べた薄肉リンク部を兼ね備えた構造を採用している。
即ち、位置決め構造である丸穴４２１を、環状磁極部材１２が薄肉部１５を介して枠体４２０ａに接続される部分の中間部分に設け、更に丸穴４２１の縁と、枠体４２０ａの内壁面及び外壁面の間に薄肉リンク部４２４が形成されるように丸穴４２１の大きさを調整している。
【００３１】
このように丸穴４２１を形成することにより、積層鉄心部材を搬送する際や、磁極ティースに巻線を施す際は、丸穴４２１に棒状の搬送具兼固定具を挿入して、積層鉄心部材を積層枠体ごと搬送又は固定し、積層環状磁極部材を積層枠体から分離する際は、積層枠体の当該丸穴４２１の部分を切断することにより容易に積層枠体を解体できる。
【００３２】
図１１は、本実施の形態における他の鉄心部材４３０ｂの平面図である。
枠体４２０ｂに環状磁極部材１２が嵌め合わされている鉄心部材４３０ｂにおいて、位置決め構造と薄肉リンク部を兼用する構造を採用する例である。
この場合、巻線工程終了後に積層枠体の全ての薄肉リンク部４２４の部分を切断すると、全ての固定子４１がバラバラになって、容易に取り出すことができる。
【００３３】
図１２は、位置決め、薄肉リンク兼用構造の他の一例を示す平面図である。深い切り欠き４２２を枠体４２０ａ、４２０ｂに設けることにより、位置決めと薄肉リンク部を兼ねることができる。
なお、位置決め、搬送用の構造と、薄肉リンク部を兼ねることができる構造であれば、どのような構造でも良い。
【００３４】
この実施の形態に係る鉄心部材によれば、位置決め構造と薄肉リンク部を一箇所にまとめて形成できるので、積層鉄心部材の製造工数を削減でき、製造コストを削減することができる。
また、嵌め合わせ構造の鉄心部材４３０ｂに適用した場合、更に容易に製品を取り出せる効果がある。この効果は、実施の形態３の鉄心部材に、嵌め合わせ構造の鉄心部材を用いた場合と同じである。
【００３５】
実施の形態５．
以下、この発明の実施の形態５に係る積層鉄心部材について実施の形態４と異なる部分を中心に説明する。
図１３は、この発明の実施の形態５に係る鉄心部材５３０の平面図である。
鉄心部材５３０は、環状磁極部材１２、５１２、５１３という磁極ティースの数や直径が異なる３種類の環状磁極部材を包含する。
そして、枠体５２０に設けた位置決め兼用の薄肉リンク部５２４の位置も、環状磁極部材１２，５１２、５１３の接続位置に合わせて調整している。
すなわち、位置決め用の丸穴５２１間の間隔（ピッチ）も、薄肉リンク部５２４の配置も、鉄心部材５３０が包含する環状磁極部材の構成によって変動することになる。
【００３６】
このような鉄心部材５３０を複数枚数積層した積層鉄心部材に対する後工程においては、どのような種類の積層環状磁極部材が、どのような位置に配置されているかを把握する必要がある。
【００３７】
図１３の枠体５２０には、この鉄心部材５３０が包含する環状磁極部材の位置と種類等を示す識別子９が塗装又は刻印されている。
この識別子９は、図示しない巻線機の識別子読取手段で読み取られて、巻線工程におけるノズルの動作制御、積層鉄心部材の搬送、積層枠体の分離位置の決定等に利用される。
例えば、図１３に示す鉄心部材５３０に表示されている識別子９は、図１３左側を搬送方向前方として、３個の環状磁極部材５１３が横に一列、２個の環状磁極部材１２が連結されたものが２列、最後の列には、搬送方向側から見て左に環状磁極部材５１２、右に環状磁極部材１２が接続されていることを表す。
また、識別子９には、位置決め構造、薄肉リンク部の配置データを含んでも良い。
【００３８】
更に、同じ鉄心部材５３０を使用して、積層枚数を変えて積層する製品が存在する場合は、個別の鉄心部材５３０に表示する識別子９の情報に、積層枚数を追加した新たな識別子を別途用意して、積層鉄心部材に１つ表示しても良いし、併用しても良い。
この場合は、更に幅広い製品群の自動製造が可能となる。
【００３９】
この実施の形態に係る積層鉄心部材によれば、枠体５２０に包含される環状磁極部材の種類と配置、位置決め構造、薄肉リンク部の配置等の情報を示す識別子９を利用して、後工程への搬送、絶縁処理を自動化でき、積層枠体毎に巻線機を自動制御できるので、大幅に製品の製造工程を自動化し、製造コストを削減できる。
【００４０】
また、１つの積層鉄心部材に複数種類の積層環状磁極部材を包含でき、小ロット製品を１つの金型に少数だけ混在させて生産することも可能なので、金型の製造コストを削減できる。
また、これによって安価、且つ短納期に製品を供給できる。
【００４１】
また、単一製品の製造を繰り返す場合に必要な、各種機器の設定やツールの入れ替えが発生しないので、製品の製造に要する全体としての時間を短縮でき、時間当たりの生産性を高めることができる。
【００４２】
また、大小の積層環状磁極部材が混在しても、搬送ピッチを大きさに合わせて調整できるので、電磁鋼板を無駄なく利用できる。
【００４３】
また、鉄心部材は、図１４〜図１６に示す鉄心部材３０ｃ、３０ｄ、３０ｅ、３０ｆのようなものでも良く、枠体に包含される環状磁極部材の大きさ、個数、配置による制限は無い。
【００４４】
また、識別子９を利用して複数種類の積層環状磁極部材の同時製造を実現できる。
【符号の説明】
【００４５】
１００  積層鉄心部材、１１ａ  磁極ティース部、１１ｂ  バックヨーク部、
１２，５１２，５１３  環状磁極部材、１５  薄肉部、
２０，２２０，３２０，４２０ａ，４２０ｂ，５２０  枠体、２１，４２１  丸穴、
２２，４２２  切り欠き、
３０ａ，３０ｂ，２３０，３３０，４３０ａ，４３０ｂ，５３０  鉄心部材、
２４，４２４  薄肉リンク部、４０  積層環状磁極部材、４１  固定子、
５０  積層枠体、９  識別子。
【図１】
0005631252.tif 000002
【図２】
0005631252.tif 000003
【図３】
0005631252.tif 000004
【図４】
0005631252.tif 000005
【図５】
0005631252.tif 000006
【図６】
0005631252.tif 000007
【図７】
0005631252.tif 000008
【図８】
0005631252.tif 000009
【図９】
0005631252.tif 000010
【図１０】
0005631252.tif 000011
【図１１】
0005631252.tif 000012
【図１２】
0005631252.tif 000013
【図１３】
0005631252.tif 000014
【図１４】
0005631252.tif 000015
【図１５】
0005631252.tif 000016
【図１６】
0005631252.tif 000017